(57)【要約】【課題】カバーページを作成して送信するファクシミリ装置において、カバーページのイメージを確認可能とすることを課題とする。【解決手段】パソコン４からＬＡＮ３を介してネットワークファクシミリ装置２にファックス送信指示が送信される。この指示には、送信文書ファイルを指定する情報、宛先を指定する情報などが含まれる。ファクシミリ装置２では、サーバプログラム２０１が動作し、送信ジョブファイル２１１、送信文書レコード２１３、指定された宛先情報を埋め込んだカバーページ画像ファイル２１２が作成される。これにより、送信予約が完了した後、ユーザは、カバーページを画像情報として参照することが可能である。また、ファックス送信後においても、カバーページ画像ファイル２１２が保存されているので、カバーページを画像情報として参照することが可能である。【選択図】図１
2007150479.tif 000002
【特許請求の範囲】
【請求項１】
送信文書にカバーページを添付して送信するファクシミリ装置であって、
送信文書ファイルを指定する手段と、
前記送信文書ファイルの送信に関わる情報を指定する手段と、
前記送信に関わる情報を用いてカバーページ画像ファイルを作成する手段と、
を備え、
ファクス送信ジョブの登録時には、前記カバーページ画像ファイルが送信予約データの一部として保存されることを特徴とするファクシミリ装置。
【請求項２】
請求項１に記載のファクシミリ装置において、さらに、
前記カバーページ画像ファイルより生成されるカバーページが添付されて前記送信文書ファイルがファックス送信された後、前記カバーページ画像ファイルが送信済みデータの一部として保存されることを特徴とするファクシミリ装置。
【請求項３】
請求項１または請求項２に記載のファクシミリ装置において、
前記送信に関わる情報は、ファックス送信の宛先情報を含むことを特徴とするファクシミリ装置。
【請求項４】
請求項３に記載のファクシミリ装置において、
前記送信文書ファイルの宛先として複数の宛先が指定されている場合、ファックス送信ジョブの登録時には、いずれか１つの宛先情報が埋め込まれた代表カバーページ画像ファイルが送信予約データの一部として保存されることを特徴とするファクシミリ装置。
【請求項５】
請求項４に記載のファクシミリ装置において、
ファックス送信時には、前記代表カバーページ画像ファイルの宛先欄に各宛先情報が埋め込まれ、ファックス送信後には、各宛先が埋め込まれた個別カバーページ画像ファイルが送信済みデータの一部として保存されることを特徴とするファクシミリ装置。
【発明の詳細な説明】
【技術分野】
【０００１】
本発明は、ファックス送信データの管理技術に関する。
【背景技術】
【０００２】
ファックス送信時には、文書の先頭にカバーページをつけるのが一般的である。カバーページには、ファックス送信日時、宛先、件名、ファックス送信枚数、簡単な挨拶文などが記入される。
【０００３】
また、パソコンからネットワーク経由で送信されるファックス送信指示を受信し、指定された文書ファイルをファックス送信するネットワークファクシミリ装置が存在する。ネットワークファクシミリ装置は、文書ファイルをストレージする機能を備えており、ユーザによって、宛先、送信する文書ファイル等が指定されると、指定された文書ファイルを指定された宛先にファックス送信するのである。
【０００４】
一般に、紙媒体の文書をファックス送信する場合には、あらかじめカバーページも作成して印刷しておき、文書の頭にカバーページを重ねてファックス送信を行う。
【０００５】
これに対して、ネットワークファクシミリ装置を利用し、ネットワークファクシミリ装置がストレージしている文書ファイルを送信する場合には、あらかじめカバーページを作成しておく必要はない。ネットワークファクシミリ装置は、ユーザがパソコンから入力した宛先、件名などの情報を元に電子的にカバーページを生成する機能を持っており、この生成されたカバーページデータを文書ファイルの先頭に付加してファックス送信を行うことが可能となっているからである。
【０００６】
下記特許文献１は、ファックス送信レポートあるいは受信レポートに関する技術である。具体的には、文書の一部を管理情報とともに記録紙に出力するようにしている。
【０００７】
【特許文献１】特開平９−１４９２３０号公報
【発明の開示】
【発明が解決しようとする課題】
【０００８】
上述したように、紙媒体で文書をファックス送信する場合には、そもそも紙媒体であるカバーページをあらかじめ作成し、印刷しているので、カバーページの内容は送信する前から確認済みである。
【０００９】
ところが、ネットワークファクシミリ装置を利用し、必要な情報だけを入力してカバーページを作成する機能を用いた場合、相手に送信したカバーページがどのような状態であったかを確認する方法がなかった。送信待機情報や送信履歴情報を参照することで、カバーページが添付されたという事実は確認でき、また、カバーページに記録された情報の内容についても確認することが可能なものは存在する。しかし、ファックス送信された画像情報としてのカバーページを確認する方法がなかった。つまり、送信先のファクシミリ装置で、どのようなイメージでカバーページが記録紙に出力されているかを確認する方法がなかった。
【００１０】
ネットワークファクシミリ装置は、カバーページのテンプレートを利用して、カバーページを作成している。したがって、ファックス送信した後で、ユーザがカバーページを表示しようとしたときに、テンプレートに、宛先情報や送信先情報を埋め込んでカバーページの画像を作成するという方法も考えられる。しかし、この方法では、表示要求を受けてからカバーページ画像を作成するので、処理に時間がかかり、ユーザにとって利便性のよいものではない。また、ユーザの心理としては、表示用に作成されたものではなく、実際に送信されたカバーページのイメージを確認したい。
【００１１】
上記特許文献１は、文書の一枚目がカバーページであれば、送信レポートを印刷することによって、カバーページのイメージを確認することが可能である。しかし、これは、上記の紙媒体で文書をファックス送信する場合と同じように、送信する文書の一枚目にカバーページが存在していることが条件である。上記のネットワークファクシミリ装置のように、ファックス送信時にテンポラリーでカバーページが作成され、テンポラリーで作成されたカバーページが付加されて送信された場合には、送信文書の一枚目にカバーページが含まれているわけではないので、カバーページを確認することができない。
【００１２】
そこで、本発明は前記問題点に鑑み、カバーページを作成して送信するファクシミリ装置において、送信したカバーページのイメージを容易に確認可能な技術を提供することを目的とする。
【課題を解決するための手段】
【００１３】
上記課題を解決するため、請求項１記載の発明は、送信文書にカバーページを添付して送信するファクシミリ装置であって、送信文書ファイルを指定する手段と、前記送信文書ファイルの送信に関わる情報を指定する手段と、前記送信に関わる情報を用いてカバーページ画像ファイルを作成する手段と、を備え、ファクス送信ジョブの登録時には、前記カバーページ画像ファイルが送信予約データの一部として保存されることを特徴とする。
【００１４】
請求項２記載の発明は、請求項１に記載のファクシミリ装置において、さらに、前記カバーページ画像ファイルより生成されるカバーページが添付されて前記送信文書ファイルがファックス送信された後、前記カバーページ画像ファイルが送信済みデータの一部として保存されることを特徴とする。
【００１５】
請求項３記載の発明は、請求項１または請求項２に記載のファクシミリ装置において、前記送信に関わる情報は、ファックス送信の宛先情報を含むことを特徴とする。
【００１６】
請求項４記載の発明は、請求項３に記載のファクシミリ装置において、前記送信文書ファイルの宛先として複数の宛先が指定されている場合、ファックス送信ジョブの登録時には、いずれか１つの宛先情報が埋め込まれた代表カバーページ画像ファイルが送信予約データの一部として保存されることを特徴とする。
【００１７】
請求項５記載の発明は、請求項４に記載のファクシミリ装置において、ファックス送信時には、前記代表カバーページ画像ファイルの宛先欄に各宛先情報が埋め込まれ、ファックス送信後には、各宛先が埋め込まれた個別カバーページ画像ファイルが送信済みデータの一部として保存されることを特徴とする。
【発明の効果】
【００１８】
本発明は、ファクス送信ジョブが登録された場合、送信に関する情報が埋め込まれたカバーページ画像ファイルが送信予約データの一部として保存されるので、ユーザは、カバーページをイメージとして確認することが可能である。
【００１９】
また、ファックス送信完了後、カバーページ画像ファイルが送信済みデータの一部として保存されるので、ファックス送信後においても、カバーページをイメージとして確認することが可能である。
【発明を実施するための最良の形態】
【００２０】
以下、図面を参照しつつ本発明の実施の形態について説明する。図１は、オフィス１内に設置された実施の形態に係るネットワークファクシミリ装置２と、ネットワークファクシミリ装置２とＬＡＮ３を介して接続されたパーソナルコンピュータ（以下、パソコンと略す。）４とを示す図である。
【００２１】
本実施の形態に係るネットワークファクシミリ装置２は、いわゆるデジタル複合機と呼ばれる機器であり、ファックス機能のほかにコピー機能、プリンタ機能、スキャナ機能などを備えるとともに、ネットワーク機能を備えている。したがって、ＬＡＮ３に接続されたパソコン４は、ＬＡＮ経由で、ネットワークファクシミリ装置２の各種の機能を利用可能である。このように、オフィス１内で働く社員は、パソコン４を利用してＬＡＮ経由でネットワークファクシミリ装置２を利用したり、実際にネットワークファクシミリ装置２の場所へ移動して、コピー操作などを行ったりすることで、１台のネットワークファクシミリ装置２を複数の社員で共用しているのである。このように、ネットワークファクシミリ装置２は様々な用途で利用されるが、本発明は、ユーザがＬＡＮ経由でファックス機能（いわゆるＰＣ−ＦＡＸ機能）を利用する場合に特に有用な発明である。
【００２２】
ネットワークファクシミリ装置２は、図に示すように、ＣＰＵ２１、ネットワークインタフェース２２、ファックス通信部２３、記憶装置２４を備えている。ＣＰＵ２１は、ネットワークファクシミリ装置２の全体制御を行う中央処理部である。ネットワークインタフェース２２は、ＬＡＮ３を経由してＴＣＰ／ＩＰ通信などの通信処理を行うインタフェースである。ファックス通信部２３は、電話回線網を経由して、ファックスデータの送信および受信処理を行うインタフェースである。
【００２３】
記憶装置２４には、サーバプログラム２０１、文書ファイルデータベース（以下、文書ファイルＤＢと略す。）２０２、カバーページテンプレートデータベース（以下、カバーページテンプレートＤＢと略す。）２０３が格納されている。
【００２４】
サーバプログラム２０１は、パソコン４から送信されたファックス送信指示を受信し、ファックス送信の予約処理や送信処理を実行するプログラムである。
【００２５】
文書ファイルＤＢ２０２は、オフィス１内で働く各社員の文書ファイル、共用ファイルなどを蓄積しているデータベースである。また、文書ファイルＤＢ２０２には、ネットワークファクシミリ装置２がＰＣ−ＦＡＸ機能を利用して受信した文書ファイルや、電子メール機能を利用して受信した文書ファイルが蓄積されている。
【００２６】
カバーページテンプレートＤＢ２０３は、ファックス文書の先頭に添付するカバーページのテンプレートを蓄積しているデータベースである。カバーページは、多くの場合、一枚の記録紙の領域に、送信日時、件名、宛先情報、送信元情報、簡単な挨拶文などが含まれる。また、会社のロゴマークなどが含まれる場合もある。そして、このカバーページテンプレートＤＢ２０３には、それら件名、宛先、ロゴマークなどの情報が様々な態様でレイアウトされたテンプレートデータが蓄積されているのである。
【００２７】
また、記憶装置２４には、送信予約フォルダ２０４と送信済みフォルダ２０５が作成されている。ファックス送信イベントが発生すると、イベントごとに送信ジョブファイル２１１、カバーページ画像ファイル２１２、送信文書レコード２１３が作成されるが、ユーザによって送信ジョブ登録の操作が行われると、これら送信ジョブファイル２１１、カバーページ画像ファイル２１２、送信文書レコード２１３が、送信予約フォルダ２０４に格納されるのである。これにより、送信ジョブの予約が完了となる。
【００２８】
さらに、実際にファックス送信が実行されると、送信ジョブファイル２１１、カバーページ画像ファイル２１２、送信文書レコード２１３が送信予約フォルダ２０４から送信済みフォルダ２０５に移動される。
【００２９】
送信ジョブファイル２１１は、ファックス送信要求のイベントが発生すると、このイベントに対して作成されるファイルである。送信ジョブファイル２１１には、件名情報、宛先情報、送信元情報、送信ファイルを指定する情報、送信枚数情報、送信予約時間情報、カバーページの指定情報などが記録される。これら送信ジョブファイル２１１の内容は、パソコン４を操作するユーザによって指定される情報である。その指定方法については、後で説明する。
【００３０】
カバーページ画像ファイル２１２は、ファックス送信のイベントが発生すると、指定されたカバーページテンプレートに基づいて作成される画像ファイルである。つまり、送信ジョブファイル２１１には、カバーページが必要であるか否か、どのカバーページテンプレートを使用するか、といった情報が含まれている。サーバプログラム２０１は、指定されたカバーページテンプレートをカバーページテンプレートＤＢ２０３から取得し、取得したカバーページテンプレートに、送信ジョブファイル２１１で指定された宛先、件名などを埋め込むことによって、カバーページ画像ファイル２１２を作成するのである。このカバーページ画像ファイル２１２は、実際に、ファックス送信される画像情報であるので、このファイルを参照することで、カバーページのイメージを確認することが可能である。
【００３１】
送信文書レコード２１３は、送信ジョブファイル２１１で指定された送信ファイルのコピーであり、そのステータスが「送信」に設定される。つまり、送信文書レコード２１３は、送信したい情報の実体部分である。サーバプログラム２０１は、ファックス送信のイベントが発生すると、送信ジョブファイル２１１で指定されている文書ファイルを文書ファイルＤＢ２０２から選択してコピーし、送信文書レコード２１３を作成するのである。
【００３２】
なお、図１では、サーバプログラム２０１、文書ファイルＤＢ２０２、カバーページテンプレートＤＢ２０３、送信予約フォルダ２０４、送信済みフォルダ２０５が、１つの記憶装置２４に格納されているように図示しているが、これらプログラム、ファイル、データ、フォルダは、複数の異なる記憶装置に分散されていてもよい。記憶装置４としては、半導体メモリやハードディスクを用いればよい。
【００３３】
パソコン４は、ＣＰＵ４１、ネットワークインタフェース４２、記憶装置４３、モニタ４４、入力装置４５を備えている。ＣＰＵ４１は、パソコン４の全体制御を行う中央処理部である。ネットワークインタフェース４２は、ＬＡＮ３を経由してＴＣＰ／ＩＰ通信などの通信処理を行うインタフェースである。記憶装置４３には、クライアントプログラム４０１が格納されている。
【００３４】
クライアントプログラム４０１は、ネットワーク経由でファックス送信を実行するためのプログラムである。つまり、ネットワーク経由でファックス送信を実行するプログラムは、クライアントプログラム４０１と前述したサーバプログラム２０１とで構成されるクライアントサーバ形式となっている。その一例としては、サーバプログラム２０１がＷｅｂサーバとしての機能を含み、クライアントプログラム４０１がＷｅｂブラウザである構成が考えられる。
【００３５】
図２は、クライアントプログラム４０１がモニタ４４に出力するユーザインタフェース４１０を示す図である。このユーザインタフェース４１０は、ネットワーク経由でファックス送信を実行するためのインタフェースである。図に示すように、このユーザインタフェース４１０には、宛先入力フォーム４１１、件名入力フォーム４１２、送信文書指定フォーム４１３、送信枚数入力フォーム４１４、カバーページ指定フォーム４１５、送信予約時刻入力フォーム４１６が含まれている。ユーザは、マウス、キーボード等の入力装置４５を操作することにより、これらのフォームに情報を入力し、ファックス送信の設定を行うのである。
【００３６】
カバーページ指定フォーム４１５には、カバーページを添付するか否かを指定するフォームと、カバーページテンプレートの種類を指定するフォームが含まれている。つまり、カバーページを添付する場合には、「あり」のオプションボタンをチェックし、添付しない場合には、「なし」のオプションボタンがチェックされる。図では、「あり」のオプションボタンが選択されている状態を示している。カバーページテンプレートの種類を指定するフォームは、プルダウン方式となっており、ユーザがマウス等を用いて操作することにより、テンプレートの一覧が表示され、ユーザが好みのテンプレートを選択できるようになっている。図では、「標準タイプ」のテンプレートが選択されている。
【００３７】
ユーザが、ユーザインタフェース４１０において各情報を入力し、「送信」ボタンを選択すると、入力された情報とともにファックス送信要求がネットワークファクシミリ装置２に送信される。このファックス送信要求に応答してサーバプログラム２０１が動作し、ファックス送信が実行されるのである。
【００３８】
次に、図３を参照しつつ、ファックス送信予約処理の流れについて説明する。このフローチャートは、サーバプログラム２０１により実行される。このフローチャートが開始する前に、上述したように、ユーザが、図２で示したユーザインタフェース４１０を利用し、各情報を入力した上で「送信」ボタンを選択する。これにより、サーバプログラム２０１による処理が実行を開始する。
【００３９】
まず、サーバプログラム２０１は、クライアントプログラム４０１から送信された情報に基づいて送信ジョブファイル２１１を作成する（ステップＳ１）。つまり、ユーザインタフェース４１０において入力された情報に基づいて送信ジョブファイル２１１を作成する。記憶装置２４に容量が足りないなど、送信ジョブファイル２１１の作成に失敗した場合（ステップＳ２でＹｅｓ）には、送信キャンセル処理を実行する（ステップＳ８）。
【００４０】
なお、送信キャンセル処理（ステップＳ８）は、たとえば、パソコン４に対して、送信ができない旨の情報を送信する。パソコン４では、クライアントプログラム４０１がモニタ４４に「送信できません」といったメッセージを表示するなどし、ユーザに送信が失敗したことが通知する。
【００４１】
送信ジョブファイル２１１の作成に成功した場合（ステップＳ２でＮｏ）には、カバーページが必要か否かを判定する（ステップＳ３）。具体的には、クライアントプログラム２０１から送信された情報には、カバーページ指定フォーム４１５で入力された情報が含まれており、これら情報が送信ジョブファイル２１１に記録されているので、この情報を参照することで、カバーページが必要か否かを判定する。
【００４２】
カバーページが必要な場合（ステップＳ３でＹｅｓ）には、サーバプログラム２０１は、カバーページ画像ファイル２１２を作成する（ステップＳ４）。具体的には、カバーページ指定フォーム４１５で指定されたカバーページテンプレートをカバーページテンプレートＤＢ２０３から取得し、取得したカバーページテンプレートに、宛先情報、送信元情報、件名情報、送信枚数情報、送信日時情報などを埋め込んで、カバーページ画像ファイル２１２を作成する。この埋め込まれる情報（文書ファイルの送信に関わる情報）のうち、宛先情報、件名情報などはユーザインタフェース４１０において入力された情報であり、送信元情報などは、システムによって自動的に設定される情報である。これら情報は、いずれも送信ジョブファイル２１１を参照することによって得られる。なお、送信日時情報は、基本的には、カバーページ画像ファイル２１２を作成した日時を記録すればよいが、送信予約時刻が指定されている場合には、予約された日時を送信日時情報として記録すればよい。
【００４３】
記憶装置２４の容量が足りないなど、カバーページ画像ファイル２１２の作成に失敗した場合（ステップＳ５でＹｅｓ）には、送信キャンセル処理を実行する（ステップＳ８）。カバーページ画像ファイル２１２の作成に成功した場合（ステップＳ５でＮｏ）には、送信文書レコード２１３を作成する（ステップＳ６）。送信ジョブファイル２１１には、送信文書指定フォーム４１３で指定された送信文書ファイルを指定する情報が記録されているので、サーバプログラム２０１は、文書ファイルＤＢ２０２に蓄積されている指定された送信ファイルを選択してコピーし、送信文書レコード２１３を作成する。
【００４４】
記憶装置２４の容量が足りないなど、送信文書レコード２１３の作成に失敗した場合（ステップＳ７でＹｅｓ）には、送信キャンセル処理を実行する（ステップＳ８）。送信文書レコード２１３の作成に成功した場合（ステップＳ７でＮｏ）には、送信ジョブの予約処理を完了する。
【００４５】
このように、送信ジョブの予約が完了すると、送信予約フォルダ２０４には、送信ジョブファイル２１１、送信文書レコード２１３とともに、カバーページ画像ファイル２１２が格納される。図１は、これら３つのデータが送信予約フォルダ２０４に保存された状態を示している。したがって、従来のように、カバーページデータが、ファックス送信時に一時的に作成されて消去されるのではなく、実体のある画像ファイルとして記憶装置２４に格納されるのである。
【００４６】
したがって、たとえば、クライアントプログラム４１０が、カバーページ画像ファイル２１２の表示プログラムを備えることにより、ＬＡＮ３を経由して、カバーページ画像ファイル２１２を取得し、モニタ４４にカバーページ画像ファイル２１２を表示させることが可能である。このカバーページ画像ファイル２１２は、カバーページの画像情報であるので、実際にファックス送信された際に、受信側で、どのような態様、レイアウトでカバーページが記録紙に印字されるかを確認することが可能である。
【００４７】
送信ジョブが予約された後、ネットワークファクシミリ装置２では、サーバプログラム２０１がファックス送信処理を実行することにより、送信予約フォルダ２０４に格納されているデータをファックス送信する。ファックス送信が完了すると、送信ジョブファイル２１１、カバーページ画像ファイル２１２、送信文書レコード２１３が送信済フォルダ２０５に移動される。あるいは、フォルダは１つにしておき、ステータスを変更するような処理としてもよい。
【００４８】
このように、ファックス送信が完了すると、送信済フォルダ２０５には、送信文書レコード２１３とともに、カバーページ画像ファイル２１２が格納される。したがって、ファックス送信後についても、カバーページが実体のあるファイルとして記憶装置２４に格納される。これにより、ファックス送信後においても、カバーページを画像情報として参照することが可能である。本実施の形態によれば、ユーザは、ユーザインタフェース４１０に情報を入力することで、簡単にカバーページをファックス文書に付加することができる。したがって、あらかじめカバーページを作成するという手間を省略することができる。そして、付加したカバーページを画像情報としていつでも確認できるので、出力イメージが確認できないといった不都合はない。
【００４９】
上記の実施の形態においては、ファックス送信の宛先が１つである場合を説明したが、ファックス送信では、複数の宛先が指定される場合がある。この場合の処理について説明する。
【００５０】
まず、ユーザが、ユーザインタフェース４１０の宛先入力フォーム４１１において、複数の宛先を指定する。図２では、単一の宛先のみが指定されているが、この入力フォームには、複数の宛先が入力可能になっている。ユーザが「送信」ボタンを選択すると、宛先情報として複数の宛先が指定された情報がネットワークファクシミリ装置２に送信される。
【００５１】
ネットワークファクシミリ装置２では、サーバプログラム２０１が動作し、図３のフローチャートで示した処理が実行される。ただし、ステップＳ１で作成される送信ジョブファイル２１１には、複数の宛先情報が含まれている。
【００５２】
そして、ステップＳ４で作成されるカバーページ画像ファイル２１２には、複数の宛先のうち、１番目の宛先情報が埋め込まれる。したがって、送信予約フォルダ２０４に格納されるカバーページ画像ファイル２１２は、１番目の宛先が指定されたものである。したがって、ユーザは、送信予約完了後に、送信予約フォルダ２０４に格納されたカバーページ画像ファイル２１２を参照することにより、１番目の宛先情報が埋め込まれたカバーページを確認することが可能である。その他の宛先に送信されるカバーページは、宛先の部分のみが異なるだけであるので、出力イメージを確認するには充分である。
【００５３】
送信ジョブが予約された後、同様に、ファックス送信処理が実行される。このとき、サーバプログラム２０１は、送信ジョブファイル２１１に記録されている宛先情報を順番に読み出し、送信予約フォルダ２０４に格納されているカバーページ画像ファイル２１２の宛先部分を書き換えた上で、順にファックス送信を行うのである。
【００５４】
なお、この実施の形態では、複数の宛先のうち、１番目の宛先を用いて送信予約フォルダ２０４に格納するカバーページ画像ファイル２１２を作成したが、必ずしも１番目の宛先である必要はない。複数の宛先のうち、いずれかの宛先を用いて作成すればよい。また、それぞれの宛先が書き込まれたカバーページ画像ファイルは、そのまま送信済フォルダ２０５に格納されるように構成してもよい。たとえば、５つの宛先が指定されている場合には、ファックス送信後には、５個のカバーページ画像ファイルが保存されるのである。これにより、ファックス送信後には、ユーザは、それぞれの宛先に送信したカバーページを画像情報として確認することが可能である。
【図面の簡単な説明】
【００５５】
【図１】実施の形態に係るネットワークファクシミリ装置を含むシステム構成図である。
【図２】パソコンのモニタに表示されるファックス送信のユーザインタフェースを示す図である。
【図３】ファックス送信の予約処理のフローチャートである。
【符号の説明】
【００５６】
２      ネットワークファクシミリ装置
３      パソコン
２０１  サーバプログラム
２１１  送信ジョブファイル
２１２  カバーページ画像ファイル
２１３  送信文書レコード
４０１  クライアントプログラム
４１０  （クライアントプログラム）ユーザインタフェース
【図１】
2007150479.tif 000003
【図２】
2007150479.tif 000004
【図３】
2007150479.tif 000005